(57)【特許請求の範囲】
【請求項１】
正転及び逆転されるモータと、
上記モータの正転または逆転の少なくとも一方が、上記モータから伝達されて駆動する駆動部と、
シートが搬送される第１搬送路に設けられた第１ローラと、
少なくとも一つのギヤを有しており、上記モータの正転または逆転の一方を上記駆動部から上記第１ローラへ伝達し、上記モータの正転または逆転の他方を上記駆動部から上記第１ローラへ伝達しない第１駆動伝達機構と、
上記モータの正転または逆転の他方を上記駆動部から上記第１ローラへ伝達し、上記モータの正転または逆転の一方を上記駆動部から上記第１ローラへ伝達しない第２駆動伝達機構と、を備え、
上記第２駆動伝達機構は、
上記駆動部から上記モータの正転または逆転の一方を伝達されて第１回転方向に回転し、上記駆動部から上記モータの正転または逆転の他方を伝達されて当該第１回転方向と逆方向の第２回転方向に回転する太陽ギヤと、
上記太陽ギヤによって回動可能に支持されたアームと、
上記太陽ギヤに噛合された状態で回転可能に上記アームによって支持されており、上記太陽ギヤの周りを公転可能な遊星ギヤと、
上記遊星ギヤと噛合可能であって、上記遊星ギヤから伝達された上記モータの回転を上記第１ローラへ伝達する伝達ギヤと、を備え、
上記第１駆動伝達機構が有する上記ギヤの全ては、上記ギヤの各々の軸方向において固定されており、
上記遊星ギヤは、上記太陽ギヤの上記第１回転方向の回転によって上記伝達ギヤから離間する方向に公転し、上記太陽ギヤの上記第２回転方向の回転によって上記伝達ギヤと噛合する方向に公転し、
上記第１駆動伝達機構は、上記モータから上記駆動部へ伝達される回転が正転または逆転の他方から一方に変わったときに、上記モータの一定量の回転の間、上記駆動部から上記第１ローラへ上記モータの回転を伝達しない伝達遅延部を備える搬送装置。
【請求項２】
上記一定量は、上記モータの回転が正転または逆転の他方から一方へ変わったときから、上記遊星ギヤが上記伝達ギヤから離間するまでの上記モータの回転量である請求項１に記載の搬送装置。
【請求項３】
上記伝達遅延部は、第１回転体及び当該第１回転体と同軸で回転する第２回転体を備え、
上記第１回転体は、周方向に沿って間隔を空けて設けられた第１面と第２面とを備え、
上記第２回転体は、上記周方向において上記第１面及び上記第２面の間に位置し、上記第１面及び上記第２面に当接可能な当接部を備え、
上記当接部における上記第１面との当接箇所及び上記第２面との当接箇所の上記周方向の距離は、上記第１面及び上記第２面の間の上記周方向の距離よりも短い請求項１または２に記載の搬送装置。
【請求項４】
上記第１駆動伝達機構は、上記モータの正転または逆転の一方が伝達されることによって上記第１ローラと一体に回転し、上記モータの正転または逆転の他方が伝達されることによって上記第１ローラに対して空転するワンウェイクラッチを備える請求項１から３のいずれかに記載の搬送装置。
【請求項５】
上記駆動部は、上記モータから上記モータの正転または逆転の一方が伝達されて、シートを搬送方向に搬送する方向に回転し、上記モータから上記モータの正転または逆転の他方が伝達されて、シートを当該搬送方向と逆方向に搬送する方向に回転する第２ローラであり、
上記第１ローラは、上記第２ローラから上記第１駆動伝達機構を介して上記モータの正転または逆転の一方が伝達されて、シートを上記搬送方向に搬送する方向に回転し、上記第２ローラから上記第２駆動伝達機構を介して上記モータの正転または逆転の他方が伝達されて、シートを上記搬送方向と逆方向に搬送する方向に回転するものであり、
上記第２ローラは、上記第１搬送路における上記第１ローラよりも上記搬送方向の上流に設けられている請求項１から４のいずれかに記載の搬送装置。
【請求項６】
上記第２駆動伝達機構を介した上記第２ローラから上記第１ローラへの上記モータの回転の伝達が遮断された第１状態、及び上記第２駆動伝達機構を介した上記第２ローラから上記第１ローラへの上記モータの回転の伝達が可能な第２状態に状態切替可能な切替機構を更に備える請求項５に記載の搬送装置。
【請求項７】
シートが支持されるトレイと、
上記トレイに支持されたシートを上記第２ローラへ向けて上記搬送方向に給送する給送ローラと、
上記モータの正転または逆転の他方を上記第２ローラから上記給送ローラへ伝達し、上記モータの正転または逆転の一方を上記第２ローラから上記給送ローラへ伝達しない第３駆動伝達機構と、を更に備え、
上記切替機構は、上記第１状態において上記第３駆動伝達機構を介した上記第２ローラから上記給送ローラへの上記モータの回転の伝達を可能とし、上記第２状態において上記第３駆動伝達機構を介した上記第２ローラから上記給送ローラへの上記モータの回転の伝達を遮断する請求項６に記載の搬送装置。
【請求項８】
上記第１搬送路と接続された第２搬送路に設けられた第３ローラと、
上記モータの正転及び逆転を、上記第２搬送路へ案内されるシートを搬送可能な方向に回転する回転として、上記第２ローラから上記第３ローラへ伝達する第４駆動伝達機構と、を更に備え、
上記切替機構は、上記第１状態において上記第４駆動伝達機構を介した上記第２ローラから上記第３ローラへの上記モータの回転の伝達を遮断し、上記第２状態において上記第４駆動伝達機構を介した上記第２ローラから上記第３ローラへの上記モータの回転の伝達を可能とする請求項７に記載の搬送装置。
【請求項９】
上記第１搬送路における上記第１ローラよりも上記搬送方向の下流に設けられた第４ローラを更に備え、
上記第２搬送路は、上記第１ローラと上記第４ローラとの間の第１接続位置と、上記第２ローラよりも上記搬送方向の上流の第２接続位置と、において上記第１搬送路と接続されており、
上記第１駆動伝達機構は、上記モータの正転または逆転の一方を、上記第２ローラから上記第１ローラを介して上記第４ローラへ伝達し、
上記第２駆動伝達機構は、上記モータの正転または逆転の他方を、上記第２ローラから上記第１ローラを介して上記第４ローラへ伝達する請求項８に記載の搬送装置。
【請求項１０】
上記第１駆動伝達機構は、
上記第２ローラの回転に連動して回転する第１プーリと、
回転することによって上記第１ローラを連動して回転させる第２プーリと、
上記第２プーリの回転に連動して回転する第３プーリと、
回転することによって上記第４ローラを連動して回転させる第４プーリと、
上記第１プーリ及び上記第２プーリに巻架された第１ベルトと、
上記第３プーリ及び上記第４プーリに巻架された第２ベルトと、を備え、
上記第２駆動伝達機構は、
上記第３プーリと、上記第４プーリと、上記第２ベルトと、を含む請求項９に記載の搬送装置。
【請求項１１】
上記第２駆動伝達機構は、上記第２駆動伝達機構を介して上記モータの正転または逆転の他方を伝達されて回転する上記第１ローラの回転速度を、上記第２ローラの回転速度よりも遅くする減速部を備える請求項５から１０のいずれかに記載の搬送装置。
【請求項１２】
上記第１駆動伝達機構は、上記第１ローラの軸方向における一端側から当該第１ローラへ上記モータの回転を伝達し、
上記第２駆動伝達機構は、上記第１ローラの上記軸方向における他端側から当該第１ローラへ上記モータの回転を伝達する請求項１から１１のいずれかに記載の搬送装置。
【請求項１３】
請求項１から１２のいずれかに記載の搬送装置と、
上記第１搬送路に設けられており、シートに画像を記録する記録部と、を備える画像記録装置。
【請求項１４】
上記記録部は、上記第１ローラよりもシートの搬送方向の上流に設けられている請求項１３に記載の画像記録装置。
【発明の詳細な説明】
【技術分野】
【０００１】
本発明は、シートを搬送路に沿って搬送させる搬送装置、及び当該搬送装置を備えておりシートに画像記録可能な画像記録装置に関する。
【背景技術】
【０００２】
シートを搬送路に沿って搬送させる搬送装置が知られている。搬送装置を備える装置として、例えばシートに画像を記録する画像記録装置が挙げられる。画像記録装置には、モータによって駆動される複数の駆動部が設けられている。駆動部の一例として、ローラが挙げられる。ローラは、回転することでシートを搬送する。
【０００３】
近年の画像記録装置の小型化や低コスト化の要請に鑑みると、画像記録装置に搭載されるモータの数は少ないことが好ましい。つまり、画像記録装置に設けられた複数の駆動部は、共通のモータによって駆動されることが好ましい。また、近年の画像記録装置の多機能化に伴って、複数の駆動部の一部が駆動する場合に、残りが駆動したり、又は、停止したりするような構成が求められている。例えば、複数のローラの一部が正転する場合に残りのローラが逆転したり、複数のローラの一部が回転する場合に残りのローラが停止したりする構成が求められている。
【０００４】
特許文献１に開示された画像記録装置は、記録部によって画像を記録されたシートを排出トレイへ導く排出ローラと、シートを記録部へ導く搬送ローラと、を備えている。また、当該画像記録装置は、搬送ローラから排出ローラへモータからの駆動を伝達する２つの駆動伝達部（第１の駆動伝達部及び第２の駆動伝達部）と、第２の駆動伝達部へのモータからの駆動の伝達の有無を切り替える切替部とを備えている。第１の駆動伝達部は、ワンウェイクラッチを備えることによって、モータの正転のみを搬送ローラから排出ローラへ伝達する。第２の駆動伝達部は、太陽ギヤ及び遊星ギヤよりなる遊星ギヤ機構と、伝達ギヤとを備えることによって、モータの逆転のみを搬送ローラから排出ローラへ伝達する。つまり、第２の駆動伝達部において、搬送ローラが逆転しているときに遊星ギヤが伝達ギヤと噛合し、搬送ローラが正転しているときに遊星ギヤが伝達ギヤから離間する。以上より、当該画像記録装置は、第１の駆動伝達部及び第２の駆動伝達部によって、モータの正転及び逆転を搬送ローラから排出ローラへ伝達可能な構成でありながら、切替部によってモータからの第２の駆動伝達部への駆動の伝達を遮断することにより、搬送ローラを回転させつつ排出ローラを停止させることができる。
【先行技術文献】
【特許文献】
【０００５】
【特許文献１】特開２０１３−２０３５０３号公報
【発明の概要】
【発明が解決しようとする課題】
【０００６】
しかしながら、特許文献１に開示された画像記録装置の場合、以下の問題が生じるおそれがある。第２の駆動伝達部によってモータの逆転が搬送ローラから排出ローラへ伝達可能な状態において、モータの回転が逆転から正転へ切り替えられるとき、遊星ギヤが伝達ギヤから離間することで第２の駆動伝達部を介した排出ローラへの駆動の伝達が遮断される一方で、第１の駆動伝達部を介した排出ローラへの駆動の伝達が可能となる。このとき、第２の駆動伝達部の一部であって通常はモータの逆転を排出ローラへ伝達する伝達ギヤに対して、第１の駆動伝達部及び排出ローラを介してモータの正転が伝達可能な状態となっている。
【０００７】
そして、モータの回転が逆転から正転へ切り替えられるときに、第１の駆動伝達部を介した排出ローラへのモータの駆動の伝達のタイミングが、遊星ギヤが伝達ギヤから離間するタイミングよりも早い場合、伝達ギヤは、遊星ギヤと噛合した状態のまま、第１の駆動伝達部及び排出ローラを介して伝達されたモータの正転によって回転しようとする。これにより、遊星ギヤが、伝達ギヤから離間できなくなる。その結果、モータに対する負荷が上がり、当該モータは、ロック状態となり回転できなくなる。
【０００８】
本発明は、上記事情に鑑みてなされたものであり、その目的は、ローラへ回転を付与するモータのロックを防止できる装置を提供することである。
【課題を解決するための手段】
【０００９】
(1)  本発明の搬送装置は、正転及び逆転されるモータと、上記モータの正転または逆転の少なくとも一方が、上記モータから伝達されて駆動する駆動部と、シートが搬送される第１搬送路に設けられた第１ローラと、上記モータの正転または逆転の一方を上記駆動部から上記第１ローラへ伝達し、上記モータの正転または逆転の他方を上記駆動部から上記第１ローラへ伝達しない第１駆動伝達機構と、上記モータの正転または逆転の他方を上記駆動部から上記第１ローラへ伝達し、上記モータの正転または逆転の一方を上記駆動部から上記第１ローラへ伝達しない第２駆動伝達機構と、を備える。上記第２駆動伝達機構は、上記駆動部から上記モータの正転または逆転の一方を伝達されて第１回転方向に回転し、上記駆動部から上記モータの正転または逆転の他方を伝達されて当該第１回転方向と逆方向の第２回転方向に回転する太陽ギヤと、上記太陽ギヤによって回動可能に支持されたアームと、上記太陽ギヤに噛合された状態で回転可能に上記アームによって支持されており、上記太陽ギヤの周りを公転可能な遊星ギヤと、上記遊星ギヤと噛合可能であって、上記遊星ギヤから伝達された上記モータの回転を上記第１ローラへ伝達する伝達ギヤと、を備える。上記遊星ギヤは、上記太陽ギヤの上記第１回転方向の回転によって上記伝達ギヤから離間する方向に公転し、上記太陽ギヤの上記第２回転方向の回転によって上記伝達ギヤと噛合する方向に公転する。上記第１駆動伝達機構は、上記モータから上記駆動部へ伝達される回転が正転または逆転の他方から一方に変わったときに、上記モータの一定量の回転の間、上記駆動部から上記第１ローラへ上記モータの回転を伝達しない伝達遅延部を備える。
【００１０】
本構成によれば、モータから駆動部へ伝達されるモータの回転が正転または逆転の他方から一方に変わったときに、駆動部から第１ローラへの第１駆動伝達機構を介したモータの正転または逆転の一方の伝達が可能となるタイミングが、伝達遅延部によって遅延される。これにより、第１駆動伝達機構及び第１ローラを介した伝達ギヤへのモータの正転または逆転の一方の伝達が可能となるタイミングが、遊星ギヤが伝達ギヤから離間するタイミングよりも遅くすることができる。つまり、伝達ギヤが、遊星ギヤと噛合した状態で、モータの正転または逆転の一方によって回転することを防止できる。これにより、遊星ギヤを、伝達ギヤから離間させることができる。その結果、モータがロック状態となり回転できなくなることを防止できる。
【００１１】
(2)  上記伝達遅延部は、第１回転体及び当該第１回転体と同軸で回転する第２回転体を備える。上記第１回転体は、周方向に沿って間隔を空けて設けられた第１面と第２面とを備える。上記第２回転体は、上記周方向において上記第１面及び上記第２面の間に位置し、上記第１面及び上記第２面に当接可能な当接部を備える。上記当接部における上記第１面との当接箇所及び上記第２面との当接箇所の上記周方向の距離は、上記第１面及び上記第２面の間の上記周方向の距離よりも短い。
【００１２】
本構成によれば、伝達遅延部を簡易な構成で実現することができる。
【００１３】
(3)  上記第１駆動伝達機構は、上記モータの正転または逆転の一方が伝達されることによって上記第１ローラと一体に回転し、上記モータの正転または逆転の他方が伝達されることによって上記第１ローラに対して空転するワンウェイクラッチを備える。
【００１４】
本構成によれば、第１駆動伝達機構を簡易な構成で実現することができる。
【００１５】
(4)  例えば、上記駆動部は、上記モータから上記モータの正転または逆転の一方が伝達されて、シートを搬送方向に搬送する方向に回転し、上記モータから上記モータの正転または逆転の他方が伝達されて、シートを当該搬送方向と逆方向に搬送する方向に回転する第２ローラであってもよい。上記第１ローラは、上記第２ローラから上記第１駆動伝達機構を介して上記モータの正転または逆転の一方が伝達されて、シートを上記搬送方向に搬送する方向に回転し、上記第２ローラから上記第２駆動伝達機構を介して上記モータの正転または逆転の他方が伝達されて、シートを上記搬送方向と逆方向に搬送する方向に回転するものである。上記第２ローラは、上記第１搬送路における上記第１ローラよりも上記搬送方向の上流に設けられている。
【００１６】
(5)  本発明の搬送装置は、上記第２駆動伝達機構を介した上記第２ローラから上記第１ローラへの上記モータの回転の伝達が遮断された第１状態、及び上記第２駆動伝達機構を介した上記第２ローラから上記第１ローラへの上記モータの回転の伝達が可能な第２状態に状態切替可能な切替機構を更に備える。
【００１７】
本構成によれば、切替機構を第１状態とすることによって、第２ローラを回転させつつ第１ローラを停止させることができる。例えば、第２ローラを、シートを搬送方向と逆方向に搬送させる方向に回転させつつ、第１ローラを停止させることができる。これにより、第２ローラへ向けて搬送されるシートが、シートを搬送方向と逆方向に搬送させる方向に回転する第２ローラに当接することによって、当該シートの斜行を矯正することができる。また、このとき、当該シートに先行するシートが第１ローラに当接している状態であっても、第１ローラが停止しているため、当該先行するシートが第１ローラによって搬送されることはない。
【００１８】
(6)  本発明の搬送装置は、シートが支持されるトレイと、上記トレイに支持されたシートを上記第２ローラへ向けて上記搬送方向に給送する給送ローラと、上記モータの正転または逆転の他方を上記第２ローラから上記給送ローラへ伝達し、上記モータの正転または逆転の一方を上記第２ローラから上記給送ローラへ伝達しない第３駆動伝達機構と、を更に備える。上記切替機構は、上記第１状態において上記第３駆動伝達機構を介した上記第２ローラから上記給送ローラへの上記モータの回転の伝達を可能とし、上記第２状態において上記第３駆動伝達機構を介した上記第２ローラから上記給送ローラへの上記モータの回転の伝達を遮断する。
【００１９】
本構成によれば、切替機構を第１状態とし、且つ第２ローラへモータの正転または逆転の他方を伝達することによって、トレイに支持されたシートを給送ローラによって第２ローラへ向けて給送することができる。
【００２０】
(7)  本発明の搬送装置は、上記第１搬送路と接続された第２搬送路に設けられた第３ローラと、上記モータの正転及び逆転を、上記第２搬送路へ案内されるシートを搬送可能な方向に回転する回転として、上記第２ローラから上記第３ローラへ伝達する第４駆動伝達機構と、を更に備える。上記切替機構は、上記第１状態において上記第４駆動伝達機構を介した上記第２ローラから上記第３ローラへの上記モータの回転の伝達を遮断し、上記第２状態において上記第４駆動伝達機構を介した上記第２ローラから上記第３ローラへの上記モータの回転の伝達を可能とする。
【００２１】
本構成によれば、切替機構を第２状態として、第２ローラから第３ローラへ第４駆動伝達機構を介してモータの回転を伝達することによって、第２搬送路へ案内されるシートを第３ローラによって第２搬送路に沿って搬送することができる。特に、搬送装置が（６）の構成をも備えている場合、切替機構の状態に応じて、給送ローラによるシートの給送と、第３ローラによるシートの第２搬送路に沿った搬送とを別々に実行することができる。
【００２２】
(8)  本発明の搬送装置は、上記第１搬送路における上記第１ローラよりも上記搬送方向の下流に設けられた第４ローラを更に備える。上記第２搬送路は、上記第１ローラと上記第４ローラとの間の第１接続位置と、上記第２ローラよりも上記搬送方向の上流の第２接続位置と、において上記第１搬送路と接続されている。上記第１駆動伝達機構は、上記モータの正転または逆転の一方を、上記第２ローラから上記第１ローラを介して上記第４ローラへ伝達する。上記第２駆動伝達機構は、上記モータの正転または逆転の他方を、上記第２ローラから上記第１ローラを介して上記第４ローラへ伝達する。
【００２３】
本構成によれば、第１駆動伝達機構及び第２駆動伝達機構の駆動伝達経路うち、第４ローラから第１ローラへの部分を共通化することができる。これにより、第１駆動伝達機構及び第２駆動伝達機構が占めるスペースを小さくすることができる。
【００２４】
(9)  例えば、上記第１駆動伝達機構は、上記第２ローラの回転に連動して回転する第１プーリと、回転することによって上記第１ローラを連動して回転させる第２プーリと、上記第２プーリの回転に連動して回転する第３プーリと、回転することによって上記第４ローラを連動して回転させる第４プーリと、上記第１プーリ及び上記第２プーリに巻架された第１ベルトと、上記第３プーリ及び上記第４プーリに巻架された第２ベルトと、を備える。上記第２駆動伝達機構は、上記第３プーリと、上記第４プーリと、上記第２ベルトと、を含む。
【００２５】
(10)  上記第２駆動伝達機構は、上記第２駆動伝達機構を介して上記モータの正転または逆転の他方を伝達されて回転する上記第１ローラの回転速度を、上記第２ローラの回転速度よりも遅くする減速部を備える。
【００２６】
本構成によれば、第２駆動伝達機構が減速部を備えているため、第２ローラから第１ローラへの第１駆動伝達機構を介したモータの回転の伝達が可能となるタイミングが、遊星ギヤが伝達ギヤから離間するタイミングよりも早くなる可能性がある。これに対して、第１駆動伝達機構が伝達遅延部を備えることにより、第２ローラから第１ローラへの第１駆動伝達機構を介したモータの回転の伝達が可能となるタイミングを、遊星ギヤが伝達ギヤから離間するタイミングよりも遅くすることができる。
【００２７】
(11)  上記第１駆動伝達機構は、上記第１ローラの軸方向における一端側から当該第１ローラへ上記モータの回転を伝達する。上記第２駆動伝達機構は、上記第１ローラの上記軸方向における他端側から当該第１ローラへ上記モータの回転を伝達する。
【００２８】
本構成によれば、第１駆動伝達機構と第２駆動伝達機構とが干渉しないため、各駆動伝達機構の構成を簡略化できる。
【００２９】
(12)  本発明は、（１）から（１１）の搬送装置と、上記第１搬送路に設けられており、シートに画像を記録する記録部と、を備える画像記録装置として捉えることもできる。
【００３０】
(13)  上記記録部は、上記第１ローラよりも上記搬送方向の上流に設けられていてもよい。
【発明の効果】
【００３１】
本発明によれば、ローラへ回転を付与するモータのロックを防止できる。
【図面の簡単な説明】
【００３２】
【図１】図１は、複合機１０の斜視図である。
【図２】図２は、プリンタ部１１の内部構造を模式的に示す縦断面図である。
【図３】図３は、キャリッジ２３及びガイドレール４３、４４の平面図である。
【図４】図４は、切替機構１７０の斜視図であって、（Ａ）は第１状態を、（Ｂ）は第２状態を示す。
【図５】図５は、第１伝達部７４及び第３伝達部８５の模式図であって、（Ａ）は搬送モータ１０２を正転させた状態を、（Ｂ）は搬送モータ１０２を逆転させた状態を示す。
【図６】図６は、第１伝達部７４、第２伝達部１４９、及び第４伝達部１４０の模式図であって、（Ａ）は搬送モータ１０２を正転させた状態を、（Ｂ）は搬送モータ１０２を逆転させた状態を示す。
【図７】図７は、駆動伝達機構７０及び各ローラ６０、６２、４５の平面図である。
【図８】図８は、プリンタ部１１のブロック図である。
【図９】図９は、画像記録処理のフローチャートである。
【図１０】図１０は、伝達遅延部１６０の斜視図である。
【発明を実施するための形態】
【００３３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上方向４及び下方向５が定義され、開口１３が設けられている面を前面１０４として前方向６及び後方向７が定義され、複合機１０を後方向７に視て右方向８及び左方向９が定義される。上方向４及び下方向５は互いに反対方向である。前方向６及び後方向７は互いに反対方向である。右方向８及び左方向９は互いに反対方向である。上方向４、前方向６、及び右方向８は互いに直交している。
【００３４】
［複合機１０の全体構成］
図１に示されるように、複合機１０（画像記録装置の一例）は、概ね直方体に形成されている。複合機１０は、下部にインクジェット記録方式で用紙１２（図２参照）に画像を記録するプリンタ部１１を有している。複合機１０は、ファクシミリ機能及びプリント機能などの各種の機能を有している。なお、プリンタ部１１は、インクジェット記録方式以外、例えば電子写真方式で用紙１２に画像を記録するものであってもよい。
【００３５】
図２に示されるように、プリンタ部１１は、搬送装置と、記録部２４と、プラテン４２とを備えている。搬送装置は、給送部１５と、給送トレイ２０（トレイの一例）と、排出トレイ２１と、搬送部５４と、排出部５５と、反転部５６と、再搬送部５７と、搬送モータ１０２（モータの一例、図７参照）と、駆動伝達機構７０（図７参照）とを備えている。
【００３６】
［給送トレイ２０、排出トレイ２１］
図１及び図２に示されるように、給送トレイ２０は、プリンタ部１１の正面に形成された開口１３を通じて、後方向７へ挿入され、前方向６へ脱抜される。給送トレイ２０は、積層された複数の用紙１２を支持する。排出トレイ２１は、給送トレイ２０の上方に配置されている。排出トレイ２１は、開口１３を通じて反転部５６によって排出された用紙１２を支持する。
【００３７】
［給送部１５］
図２に示されるように、給送部１５は、給送ローラ２５と、給送アーム２６と、軸２７とを備えている。給送ローラ２５は、給送アーム２６の先端部に回転可能に支持されている。給送ローラ２５は、搬送モータ１０２（図７参照）の逆転によって、給送トレイ２０に支持された用紙１２を第１搬送方向１６Ａ（搬送方向の一例）へ搬送する方向に回転する。第１搬送方向１６Ａは、後述する第１搬送路６５に沿った方向で、図２に一点鎖線の矢印で示されている。給送トレイ２０によって第１搬送方向１６Ａへ搬送される用紙１２は、第１搬送路６５に配置された搬送部５４へ向かう。給送アーム２６は、プリンタ部１１のフレームに支持された軸２７に回動可能に支持されている。
【００３８】
なお、以下の説明において、用紙１２を第１搬送方向１６Ａへ搬送する方向の給送ローラ２５の回転は、正転と記される。
【００３９】
［第１搬送路６５、第２搬送路６６］
図２に示されるように、プリンタ部１１の内部には、用紙１２が通過する第１搬送路６５及び第２搬送路６６が形成されている。第１搬送路６５は、プリンタ部１１の内部において所定間隔を隔てて対向するガイド部材１８、１９によって画定される空間を指す。
【００４０】
第１搬送路６５は、湾曲された湾曲搬送路と、直線的に延びる直線搬送路とで構成されている。湾曲搬送路は、プリンタ部１１の後部において下方から上方に延びつつＵターンする経路である。直線搬送路は、搬送部５４から記録部２４を経て排出トレイ２１に至る経路である。また、本実施形態に係る排出部５５及び反転部５６は、第１搬送路６５の直線搬送路に配置されている。
【００４１】
なお、第１搬送路６５は、図２に示されたような湾曲搬送路と直線搬送路よりなる構成に限らない。例えば、第１搬送路６５は、直線搬送路のみによって構成されていてもよい。
【００４２】
第２搬送路６６は、プリンタ部１１の内部において所定間隔を隔てて対向するガイド部材２９、３０によって画定される空間を指す。第２搬送路６６は、記録部２４によって画像が記録された用紙１２を、表裏を反転させて再び記録部２４に到達させるための経路である。本実施形態に係る第２搬送路６６は、分岐位置６６Ａ（第１接続位置の一例）において第１搬送路６５から分岐し、合流位置６６Ｂ（第２接続位置の一例）において第１搬送路６５と合流する。分岐位置６６Ａは、記録部２４よりも第１搬送方向１６Ａの下流に位置する。合流位置６６Ｂは、後述する第１センサ１２０より第１搬送方向１６Ａの上流に位置する。第２搬送路６６内における用紙１２の第２搬送方向１６Ｂは、図２に二点鎖線の矢印で示されている。
【００４３】
［搬送部５４、排出部５５、反転部５６、再搬送部５７］
図２に示されるように、搬送部５４は、第１搬送路６５における第１センサ１２０及び記録部２４の間に配置されている。搬送部５４は、互いに対向する搬送ローラ６０（駆動部及び第２ローラの一例）及びピンチローラ６１を備える。搬送ローラ６０は、搬送モータ１０２によって駆動される。ピンチローラ６１は、搬送ローラ６０の回転に伴って連れ回る。
【００４４】
排出部５５は、第１搬送路６５における記録部２４及び分岐位置６６Ａの間に配置されている。排出部５５は、互いに対向する排出ローラ６２（第１ローラの一例）及び拍車６３を備える。排出ローラ６２は、搬送モータ１０２によって駆動される。拍車６３は、排出ローラ６２の回転に伴って連れ回る。
【００４５】
反転部５６は、第１搬送路６５における分岐位置６６Ａよりも第１搬送方向１６Ａの下流に配置されている。反転部５６は、互いに対向する反転ローラ４５（第４ローラの一例）及び拍車４６を備える。反転ローラ４５は、搬送モータ１０２によって駆動される。拍車４６は、反転ローラ４５の回転に伴って連れ回る。
【００４６】
なお、後述するように、搬送ローラ６０、排出ローラ６２、及び反転ローラ４５は、用紙１２を第１搬送方向１６Ａへ搬送する方向、及び当該方向と逆方向に回転可能である。以下の説明において、各ローラ６０、６２、４５の回転のうち、用紙１２を第１搬送方向１６Ａへ搬送する方向の回転は、正転と記される。また、各ローラ６０、６２、４５の回転のうち、当該正転と逆方向の回転は、逆転と記される。
【００４７】
再搬送部５７は、第２搬送路６６に配置されている。再搬送部５７は、互いに対向する再搬送ローラ６８（第３ローラの一例）及び従動ローラ６９を備える。再搬送ローラ６８は、搬送モータ１０２によって駆動される。従動ローラ６９は、再搬送ローラ６８の回転に伴って連れ回る。
【００４８】
なお、後述するように、再搬送ローラ６８は、用紙１２を第２搬送方向１６Ｂへ搬送する方向に回転可能である。以下の説明において、用紙１２を第２搬送方向１６Ｂへ搬送する方向の再搬送ローラ６８の回転は、正転と記される。
【００４９】
［記録部２４］
図２に示されるように、記録部２４は、第１搬送路６５の直線搬送路に配置されている。本実施形態において、記録部２４は、第１搬送路６５における搬送部５４及び排出部５５の間に配置されている。
【００５０】
記録部２４は、プラテン４２の上方にプラテン４２に対向して配置されている。プラテン４２は、搬送部５４によって搬送される用紙１２を下方から支持するものである。記録部２４は、キャリッジ２３と、記録ヘッド３９とを備えている。
【００５１】
図３に示されるように、キャリッジ２３からは、インクチューブ３２及びフレキシブルフラットケーブル３３が延出されている。インクチューブ３２は、インクカートリッジのインクを記録ヘッド３９に供給する。フレキシブルフラットケーブル３３は、制御部１３０（図８参照）が実装された制御基板と記録ヘッド３９とを電気的に接続する。
【００５２】
キャリッジ２３は、ガイドレール４３、４４に支持されている。ガイドレール４３、４４は、前方向６及び後方向７に沿って離間して配置されている。ガイドレール４３、４４は、右方向８及び左方向９へ延設されている。キャリッジ２３は、ガイドレール４４に設けられた公知のベルト機構に連結されている。ベルト機構は、キャリッジモータ１０３（図８参照）の駆動により周運動する。ベルト機構が周運動することによって、キャリッジ２３は、右方向８及び左方向９に沿って往復移動する。
【００５３】
図２に示されるように、記録ヘッド３９は、キャリッジ２３に搭載されている。記録ヘッド３９の下面には、複数のノズル４０が形成されている。記録ヘッド３９は、ノズル４０からインクを微小なインク滴として吐出する。キャリッジ２３が移動する過程において、プラテン４２に支持されている用紙１２に対して記録ヘッド３９がインク滴を吐出する。これにより、用紙１２に画像が記録される。
【００５４】
［経路切替部材４１］
図２に示されるように、プリンタ部１１は、第１搬送路６５における排出部５５及び反転部５６の間に、経路切替部材４１を備える。経路切替部材４１は、フラップ４９と、軸５０とを備えている。フラップ４９は、軸５０から概ね第１搬送方向１６Ａに延出されている。フラップ４９は、軸５０に回動可能に軸支されている。フラップ４９は、第１搬送路６５を閉塞させる反転位置（図２に実線で示される姿勢）と、第１搬送路６５上の用紙１２の通過を許容する排出位置（図２に破線で示される姿勢）との間を、軸５０を中心として回動する。なお、フラップ４９は、回動以外によって、例えば上方向４及び下方向５に沿った移動によって、反転位置と排出位置とに移動してもよい。
【００５５】
通常状態におけるフラップ４９は、自重によって反転位置となっている。なお、フラップ４９は、バネなどによって反転位置に付勢されていてもよい。フラップ４９は、第１搬送方向１６Ａに搬送される用紙１２に持ち上げられることによって、反転位置から排出位置へ向けて軸５０周りに回動する。以後、フラップ４９は、第１搬送方向１６Ａに搬送される用紙１２を案内する。また、フラップ４９は、第１搬送方向１６Ａに搬送される用紙１２の後端（第１搬送方向１６Ａの上流端）が分岐位置６６Ａに到達したことに応じて、自重によって排出位置から反転位置へ回動する。
【００５６】
この状態において反転部５６の反転ローラ４５が正転を継続すると、後述するように、用紙１２は、第１搬送方向１６Ａに搬送されて排出トレイ２１へ排出される。一方、反転部５６の反転ローラ４５が正転から逆転に切り替えられると、後述するように、用紙１２は、第１搬送方向１６Ａの上流端を先端として、第２搬送路６６に沿って第２搬送方向１６Ｂに搬送される。
【００５７】
［第１センサ１２０、第２センサ１２２］
図２に示されるように、プリンタ部１１は、第１搬送路６５における合流位置６６Ｂ及び搬送部５４の間に、公知の第１センサ１２０を備える。第１センサ１２０は、第１センサ１２０の配置位置に用紙１２が存在することを検知するためのセンサである。給送部１５または再搬送部５７によって搬送された用紙１２は、第１センサ１２０の配置位置を通過して搬送部５４に到達する。第１センサ１２０は、用紙１２が配置位置に存在していることに応じて、ハイレベル信号またはローレベル信号の一方（本実施形態ではローレベル信号）を制御部１３０（図８参照）に出力する。一方、第１センサ１２０は、用紙１２が配置位置に存在していないことに応じて、ハイレベル信号またはローレベル信号の他方（本実施形態ではハイレベル信号）を制御部１３０へ出力する。
【００５８】
また、プリンタ部１１は、分岐位置６６Ａに第２センサ１２２を備える。第２センサ１２２は、第１センサ１２０と同様に、第２センサ１２２の配置位置に用紙１２が存在していることに応じてハイレベル信号またはローレベル信号の一方（本実施形態ではローレベル信号）を制御部１３０に出力し、第２センサ１２２の配置位置に用紙１２が存在していないことに応じてハイレベル信号またはローレベル信号の他方（本実施形態ではハイレベル信号）を制御部１３０へ出力する。
【００５９】
［ロータリエンコーダ１２１］
図２に示されるように、プリンタ部１１は、搬送ローラ６０の回転に応じてパルス信号を発生させる公知のロータリエンコーダ１２１を備える。ロータリエンコーダ１２１は、エンコーダディスク１２３と、光学センサ１２４とを備える。エンコーダディスク１２３は、搬送ローラ６０の回転と共に回転する。光学センサ１２４は、回転するエンコーダディスク１２３を読み取ってパルス信号を生成し、生成したパルス信号を制御部１３０へ出力する。
【００６０】
［駆動伝達機構７０］
図８に示されるように、駆動伝達機構７０は、単一の搬送モータ１０２の回転を、給送ローラ２５、搬送ローラ６０、排出ローラ６２、反転ローラ４５、及び再搬送ローラ６８へ伝達する。駆動伝達機構７０は、ギヤ、プーリ、無端環状のベルト、遊星ギヤ機構、及びワンウェイクラッチ等の全部又は一部を組み合わせて構成される。
【００６１】
図５〜図７に示されるように、駆動伝達機構７０は、搬送モータ１０２の軸と一体回転するプーリ７１と、搬送ローラ６０の軸６０Ａと一体回転するプーリ７２と、プーリ７１、７２に巻架された無端環状のベルト７３とを備える。これにより、搬送ローラ６０は、搬送モータ１０２の正転が伝達されて正転し、搬送モータ１０２の逆転が伝達されて逆転する。搬送ローラ６０は、正転することによって、ピンチローラ６１との間に挟持した用紙１２を第１搬送方向１６Ａへ搬送する。
【００６２】
図７に示されるように、駆動伝達機構７０は、搬送モータ１０２の回転の伝達先を切り替える切替機構１７０と、搬送モータ１０２の回転を搬送ローラ６０の軸６０Ａを介して各ローラ２５、６２、４５、６８へ伝達する第１〜第４伝達部７４、１４９、８５、１４０とを備える。但し、搬送モータ１０２の回転を各ローラ２５、６０、６２、４５、６８へ伝達する具体的な構成は、以下の例に限定されない。第１伝達部７４は第１駆動伝達機構の一例である。第２伝達部１４９は第２駆動伝達機構の一例である。第３伝達部８５は第３駆動伝達機構の一例である。第４伝達部１４０は第４駆動伝達機構の一例である。
【００６３】
［切替機構１７０］
図４及び図７に示される切替機構１７０は、搬送モータ１０２の回転の伝達状態を、第１状態及び第２状態に切替可能に構成されている。
【００６４】
第１状態は、第３伝達部８５を介した搬送ローラ６０から給送ローラ２５への搬送モータ１０２の回転の伝達が可能であり、第２伝達部１４９を介した搬送ローラ６０から排出ローラ６２及び反転ローラ４５への搬送モータ１０２の回転の伝達が遮断されており、第４伝達部１４０を介した搬送ローラ６０から再搬送ローラ６８への搬送モータ１０２の回転の伝達が遮断されている状態である。
【００６５】
第２状態は、第３伝達部８５を介した搬送ローラ６０から給送ローラ２５への搬送モータ１０２の回転の伝達が遮断されており、第２伝達部１４９を介した搬送ローラ６０から排出ローラ６２及び反転ローラ４５への搬送モータ１０２の回転の伝達が可能であり、第４伝達部１４０を介した搬送ローラ６０から再搬送ローラ６８への搬送モータ１０２の回転の伝達が可能である状態である。
【００６６】
切替機構１７０は、第１搬送路６５よりも右方に設けられている。切替機構１７０は、切替ギヤ１７１と、ギヤ１７７と、２つの受けギヤ１７２Ａ、１７２Ｂと、保持部１７３と、押圧部材１７５と、切替レバー１７６と、第１バネ（不図示）と、第２バネ（不図示）とを備える。
【００６７】
切替ギヤ１７１は、支軸１７４を中心として回転可能で且つ支軸１７４の軸方向（右方向８及び左方向９）に沿って移動可能である。切替ギヤ１７１には、搬送モータ１０２の回転が搬送ローラ６０の軸６０Ａ及びギヤ１７７を通じて伝達される。ギヤ１７７は、搬送ローラ６０の軸６０Ａに取り付けられており、搬送ローラ６０の軸６０Ａと一体に回転する。受けギヤ１７２Ａ、１７２Ｂは、支軸１７４の下方において右方向８及び左方向９に沿った同軸上で回転可能であり、切替ギヤ１７１に噛合可能に構成されている。すなわち、切替ギヤ１７１は、右方向８及び左方向９に移動することによって、受けギヤ１７２Ａ、１７２Ｂのいずれかと噛合する。
【００６８】
受けギヤ１７２Ａは、搬送モータ１０２の回転を、第３伝達部８５を介して給送ローラ２５へ伝達するためのギヤである。受けギヤ１７２Ｂは、搬送モータ１０２の回転を、第２伝達部１４９を介して排出ローラ６２及び反転ローラ４５へ伝達し、第４伝達部１４０を介して再搬送ローラ６８へ伝達するためのギヤである。切替ギヤ１７１が受けギヤ１７２Ａと噛合しているとき、切替機構１７０は第１状態であり、切替ギヤ１７１が受けギヤ１７２Ｂと噛合しているとき、切替機構１７０は第２状態である。
【００６９】
押圧部材１７５は、切替ギヤ１７１の右方に配置されており、右方向８及び左方向９に沿って移動自在に支軸１７４に挿通されている。また、押圧部材１７５は、支軸１７４を中心に回転可能である。切替レバー１７６は、押圧部材１７５から上方に突出し、保持部１７３の開口１７９を通って、キャリッジ２３の移動経路で且つ用紙１２の通過領域外にまで延びている。切替ギヤ１７１は第１バネ（不図示）によって右方向８へ付勢され、押圧部材１７５は第２バネ（不図示）によって左方向９へ付勢されている。第２バネの付勢力は、第１バネの付勢力より大きい。その結果、切替ギヤ１７１及び押圧部材１７５は、第２バネによって左方向９へ付勢されている。
【００７０】
保持部１７３は、切替ギヤ１７１の上方に設けられている。保持部１７３には、開口１７９が形成されている。開口１７９には、切替レバー１７６が上方向４へ挿通されている。開口１７９の縁部には、第１ストッパ１８０と、第１ストッパ１８０よりも右方に設けられた第２ストッパ１８１と、第２ストッパ１８１よりも右方に設けられた傾斜面１８２とが形成されている。
【００７１】
図４（Ａ）に示されるように、第１ストッパ１８０は、切替ギヤ１７１が受けギヤ１７２Ａと噛合している状態のとき、つまり切替機構１７０が第１状態のとき、切替レバー１７６と当接する。これにより、切替ギヤ１７１が、第２バネの付勢力によって、図４（Ａ）に示される位置から左方へ移動することが規制される。一方、第１ストッパ１８０は、図４（Ａ）に示される位置から切替ギヤ１７１の右方への移動を規制しない。
【００７２】
図４（Ｂ）に示されるように、第２ストッパ１８１は、切替ギヤ１７１が受けギヤ１７２Ｂと噛合している状態のとき、つまり切替機構１７０が第２状態のとき、切替レバー１７６と係合する。これにより、切替ギヤ１７１が、第２バネの付勢力によって、図４（Ｂ）に示される位置から左方へ移動することが規制される。一方、第２ストッパ１８１は、図４（Ｂ）に示される位置から切替ギヤ１７１の右方への移動を規制しない。
【００７３】
図４（Ａ）に示されるように、切替ギヤ１７１が受けギヤ１７２Ａと噛合している状態のとき、つまり切替機構１７０が第１状態のときに、切替レバー１７６が右方へ移動するキャリッジ２３に当接されて押されると、切替レバー１７６は第２バネの付勢力に抗って右方へ移動する。これにより、押圧部材１７５は、切替レバー１７６と一体に右方へ移動する。押圧部材１７５が右方へ移動すると、第１バネによって右方向８へ付勢された切替ギヤ１７１は右方へ移動する。切替レバー１７６が第２ストッパ１８１と係合することで、切替ギヤ１７１は受けギヤ１７２Ｂと噛合した状態に保持される。つまり、切替機構１７０は第２状態に保持される（図４（Ｂ）参照）。以上のように、切替機構１７０は、第１状態から第２状態に変化する。
【００７４】
図４（Ｂ）に示されるように、切替ギヤ１７１が受けギヤ１７２Ｂと噛合している状態のとき、つまり切替機構１７０が第２状態のときに、切替レバー１７６が右方へ移動するキャリッジ２３に当接されて押されると、切替レバー１７６は第２バネの付勢力に抗って右方へ移動する。これにより、押圧部材１７５は、切替レバー１７６と一体に右方へ移動する。押圧部材１７５が右方へ移動すると、第１バネによって右方向８に付勢された切替ギヤ１７１は右方へ移動する。このとき、切替レバー１７６は、傾斜面１８２に沿って移動する。これにより、切替レバー１７６は、その突出先端（上端）が後方へ移動するように回転する。
【００７５】
切替レバー１７６が第２ストッパ１８１よりも右方に位置している状態では、キャリッジ２３が切替レバー１７６との当接を維持することによって、切替ギヤ１７１が第２バネの付勢力によって左方へ移動することが規制される。
【００７６】
切替レバー１７６が図４（Ｂ）に示された位置よりも右方において傾斜面１８２と当接した状態で、キャリッジ２３が左方に移動して切替レバー１７６から離間すると、切替レバー１７６は、第２バネの付勢力によって左方に移動する。このとき、上述したように、切替レバー１７６は、その突出先端が後方へ移動するように回転しているため、第２ストッパ１８１と係合せずに第２ストッパ１８１よりも左方へ移動する。その結果、切替レバー１７６は、第１ストッパ１８０と当接するまで左方へ移動する。このとき、切替ギヤ１７１は、押圧部材１７５に押されて左方へ移動して、受けギヤ１７２Ａと噛合する（図４（Ａ）参照）。つまり、切替機構１７０が第１状態に保持される。以上のように、切替機構１７０は、第２状態から第１状態に変化する。
【００７７】
なお、切替レバー１７６は、左方へ移動する際に、開口１７９の縁部における第１ストッパ１８０の近傍に形成された傾斜面１８３に沿って移動する。これにより、切替レバー１７６は、その突出先端が前方へ移動するように回転する。
【００７８】
［第１伝達部７４］
図５及び図６に示される第１伝達部７４は、搬送ローラ６０の軸６０Ａを介して伝達された搬送モータ１０２の正転を、排出ローラ６２及び反転ローラ４５へ伝達する。図７に示されるように、第１伝達部７４は、第１搬送路６５よりも左方に設けられている。つまり、第１伝達部７４は、排出ローラ６２の左側（一端側の一例）から排出ローラ６２へ回転を伝達する。なお、第１伝達部７４の位置は、図７に示された位置に限定されない。例えば、第１伝達部７４は、第１搬送路６５よりも右方に設けられていてもよい。
【００７９】
図５及び図６に示されるように、第１伝達部７４は、互いに噛合するギヤ７５、７６と、プーリ７７乃至８０と、無端環状のベルト８１、８２と、ワンウェイクラッチ８３とで構成されている。プーリ７７は第１プーリの一例である。プーリ７８は第２プーリの一例である。プーリ７９は第３プーリの一例である。プーリ８０は第４プーリの一例である。ベルト８１は第１ベルトの一例である。ベルト８２は第２ベルトの一例である。
【００８０】
ギヤ７５は、ギヤ７６と噛合し且つ搬送ローラ６０の軸６０Ａと一体回転する。ギヤ７６及びプーリ７７は、同軸で一体回転する。つまり、プーリ７７は、搬送ローラ６０の回転に連動して回転する。プーリ７８は、ワンウェイクラッチ８３を介して排出ローラ６２の軸６２Ａに取り付けられている。つまり、プーリ７８が回転することによって、排出ローラ６２が連動して回転する。
【００８１】
ワンウェイクラッチ８３は、搬送モータ１０２の正転が伝達されたときに、排出ローラ６２と一体に回転する。つまり、ワンウェイクラッチ８３は、プーリ７８へ伝達された搬送モータ１０２の正転を、排出ローラ６２の軸６２Ａ及びプーリ７９へ伝達する。一方、ワンウェイクラッチ８３は、搬送モータ１０２の逆転が伝達されたときに、排出ローラ６２に対して空転する。つまり、ワンウェイクラッチ８３は、プーリ７８へ伝達された搬送モータ１０２の逆転を、排出ローラ６２の軸６２Ａ及びプーリ７９へ伝達しない。なお、ワンウェイクラッチ８３としては、公知のものが使用される。
【００８２】
プーリ７９は、排出ローラ６２の軸６２Ａと一体回転する。つまり、プーリ７９は、プーリ７８の回転に連動して回転する。プーリ８０は、反転ローラ４５の軸４５Ａと一体回転する。つまり、プーリ８０が回転することによって、反転ローラ４５が連動して回転する。
【００８３】
ベルト８１は、プーリ７７、７８に巻架されている。ベルト８２は、プーリ７９、８０に巻架されている。
【００８４】
図５（Ａ）に示されるように、第１伝達部７４は、搬送モータ１０２の正転を、搬送ローラ６０から排出ローラ６２及び反転ローラ４５へ伝達して、各ローラ６２、４５を正転させる。一方、図５（Ｂ）に示されるように、第１伝達部７４は、搬送モータ１０２の逆転を、搬送ローラ６０から排出ローラ６２及び反転ローラ４５へ伝達しない。
【００８５】
以上より、排出ローラ６２は、搬送モータ１０２の正転が第１伝達部７４を介して伝達されることによって、拍車６３との間に挟持した用紙１２を第１搬送方向１６Ａへ搬送する方向に回転する。また、反転ローラ４５は、搬送モータ１０２の正転が第１伝達部７４を介して伝達されることによって、拍車４６との間に挟持した用紙１２を第１搬送方向１６Ａへ搬送する方向に回転する。これにより、用紙１２は、排出トレイ２１へ排出される。
【００８６】
［第２伝達部１４９］
図６に示される第２伝達部１４９は、搬送ローラ６０の軸６０Ａ及び第２状態の切替機構１７０を介して伝達された搬送モータ１０２の逆転を、排出ローラ６２及び反転ローラ４５へ伝達する。図７に示されるように、第２伝達部１４９は、第１搬送路６５よりも右方に設けられている。つまり、第２伝達部１４９は、排出ローラ６２の右側（他端側の一例）から排出ローラ６２へ回転を伝達する。なお、第２伝達部１４９の位置は、図７に示された位置に限定されない。例えば、第２伝達部１４９は、第１搬送路６５よりも左方に設けられていてもよい。第２伝達部１４９が第１搬送路６５よりも左方に設けられている場合、第１伝達部７４は、第１搬送路６５よりも右方に設けられていることが好ましい。
【００８７】
図６に示されるように、第２伝達部１４９は、ギヤ列１５０と、太陽ギヤ１５１と、遊星ギヤ１５２と、アーム１５３と、ギヤ１５４（伝達ギヤの一例）と、プーリ７９、８０と、ベルト８２とで構成される。プーリ７９、８０及びベルト８２は、第１伝達部７４の構成要素の一部であるとともに、第２伝達部１４９の構成要素の一部でもある。
【００８８】
ギヤ列１５０は、隣接するギヤ同士が互いに噛合する複数のギヤ１５０Ａ〜１５０Ｄを含む。ギヤ１５０Ａは、受けギヤ１７２Ｂと噛合する。太陽ギヤ１５１は、ギヤ１５０Ｄと噛合する。遊星ギヤ１５２は、太陽ギヤ１５１と噛合し且つギヤ１５４に接離する。アーム１５３は、一端が太陽ギヤ１５１に回動可能に支持され、他端で遊星ギヤ１５２を自転可能及び太陽ギヤ１５１の周りを公転可能に支持している。これにより、遊星ギヤ１５２は、太陽ギヤ１５１が回転することによって、自転しながら太陽ギヤ１５１の周りを公転する。ギヤ１５４は、排出ローラ６２の軸６２Ａと一体回転する。つまり、ギヤ１５４は、噛合した遊星ギヤ１５２から伝達された搬送モータ１０２の回転を排出ローラ６２へ伝達する。
【００８９】
太陽ギヤ１５１は、搬送モータ１０２の正転が伝達されることによって、図６（Ａ）に矢印で示される第１回転方向１０５に回転する。これにより、遊星ギヤ１５２は、第１回転方向１０５に公転し、ギヤ１５４から離間する。その結果、第２伝達部１４９は、搬送モータ１０２の正転を、搬送ローラ６０から排出ローラ６２及び反転ローラ４５へ伝達しない。
【００９０】
一方、太陽ギヤ１５１は、搬送モータ１０２の逆転が伝達されることによって、図６（Ｂ）に矢印で示される第２回転方向１０６（第１回転方向１０５と逆方向）に回転する。これにより、遊星ギヤ１５２は、第２回転方向１０６に公転し、ギヤ１５４と噛合する。その結果、第２伝達部１４９は、搬送モータ１０２の逆転を、搬送ローラ６０から排出ローラ６２及び反転ローラ４５へ伝達して、各ローラ６２、４５を逆転させる。
【００９１】
また、反転ローラ４５は、搬送モータ１０２の逆転が第２伝達部１４９を介して伝達されることによって、拍車４６との間に挟持した用紙１２を第１搬送方向１６Ａと逆方向へ搬送する方向に回転する。なお、このとき、フラップ４９が通常状態であれば、用紙１２は、第１搬送方向１６Ａの上流端を先端として第２搬送路６６へ案内されて、第２搬送路６６を第２搬送方向１６Ｂへ搬送される。
【００９２】
第２伝達部１４９は、搬送ローラ６０の回転速度を減速させて排出ローラ６２へ伝達する減速部を備えている。これにより、再搬送ローラ６８の回転速度を排出ローラ６２及び反転ローラ４５の回転速度よりも速くすることができる。その結果、第２搬送路６６における再搬送ローラ６８と反転ローラ４５との間で、用紙１２が撓むことを防止できる。また、反転ローラ４５が正転している状態で、用紙１２が反転部５６及び再搬送部５７の双方に挟持されている場合、反転部５６及び再搬送部５７の間で用紙１２の引っ張り合いが発生するが、引っ張り合いが発生した場合であっても、回転速度の速い再搬送ローラ６８によって用紙１２を第２搬送路６６へ導くことができる。
【００９３】
本実施形態において、減速部は、第２伝達部１４９における搬送ローラ６０から排出ローラ６２への伝達方向の最も上流に位置するギヤ１５０Ａと、当該伝達方向の最も下流に位置するギヤ１５４である。ギヤ１５０Ａの歯数ｎ１とギヤ１５４の歯数ｎ２との比（ｎ２／ｎ１）は、１よりも大きい。なお、減速部の構成は、上述した構成に限らない。例えば、第２伝達部１４９を構成するいずれかのギヤ（例えばギヤ１５０Ｂ）における各歯の間隔が、第２伝達部１４９を構成するギヤ１５０Ｂ以外のギヤよりも大きく構成されていてもよい。この場合、ギヤ１５０Ｂが減速部である。もちろん、ギヤ１５０Ｂ以外のギヤの各歯の間隔が大きくされてもよい。
【００９４】
［第３伝達部８５］
図５に示される第３伝達部８５は、搬送ローラ６０の軸６０Ａ及び第１状態の切替機構１７０を介して伝達された搬送モータ１０２の回転を、給送ローラ２５へ伝達する。図５に示されるように、第３伝達部８５は、ギヤ８６乃至９１と、プーリ９２乃至９５と、無端環状のベルト９６、９７と、太陽ギヤ９８と、遊星ギヤ９９と、アーム１００とで構成されている。
【００９５】
ギヤ８６は、受けギヤ１７２Ａ及びギヤ８７と噛合している。ギヤ８７及びプーリ９２は、同軸で一体回転する。ギヤ８８及びプーリ９３は、同軸で一体回転する。ギヤ８９は、ギヤ８８と噛合している。太陽ギヤ９８は、ギヤ８９と同軸で一体回転する。遊星ギヤ９９は、太陽ギヤ９８と噛合し且つギヤ９０に接離する。アーム１００は、一端が太陽ギヤ９８に回動可能に支持され、他端で遊星ギヤ９９を自転可能及び太陽ギヤ９８の周りを公転可能に支持している。これにより、遊星ギヤ９９は、太陽ギヤ９８が回転することによって、自転しながら太陽ギヤ９８の周りを公転する。ギヤ９０は、ギヤ９１と噛合する。ギヤ９１及びプーリ９４は、同軸で一体回転する。プーリ９５は、給送ローラ２５と同軸で一体回転する。ベルト９６は、プーリ９２、９３に巻架されている。ベルト９７は、プーリ９４、９５に巻架されている。
【００９６】
図５（Ａ）に示されるように、遊星ギヤ９９は、搬送モータ１０２の正転が太陽ギヤ９８へ伝達されることによって、ギヤ９０から離間する。その結果、第３伝達部８５は、搬送モータ１０２の正転を給送ローラ２５へ伝達しない。一方、図５（Ｂ）に示されるように、遊星ギヤ９９は、搬送モータ１０２の逆転が太陽ギヤ９８へ伝達されることによって、ギヤ９０と噛合する。その結果、第３伝達部８５は、搬送モータ１０２の逆転を給送ローラ２５へ伝達する。これにより、給送ローラ２５は正転する。
【００９７】
［第４伝達部１４０］
図６に示される第４伝達部１４０は、搬送ローラ６０の軸６０Ａ及び第２状態の切替機構１７０を介して伝達された搬送モータ１０２の回転を、再搬送ローラ６８へ伝達する。図６に示されるように、第４伝達部１４０は、太陽ギヤ１４１と、遊星ギヤ１４２、１４３と、アーム１４４、１４５と、ギヤ列１４６と、ギヤ１４７、１４８とで構成されている。
【００９８】
太陽ギヤ１４１は、受けギヤ１７２Ｂと噛合する。遊星ギヤ１４２は、太陽ギヤ１４１と噛合し且つギヤ１４６Ａに接離する。遊星ギヤ１４３は、太陽ギヤ１４１と噛合し且つギヤ１４６Ｂに接離する。アーム１４４は、一端が太陽ギヤ１４１に回動可能に支持され、他端で遊星ギヤ１４２を自転可能及び太陽ギヤ１４１の周りを公転可能に支持している。アーム１４５は、一端が太陽ギヤ１４１に回動可能に支持され、他端で遊星ギヤ１４３を自転可能及び太陽ギヤ１４１の周りを公転可能に支持している。ギヤ列１４６は、隣接するギヤ同士が互いに噛合する複数のギヤ１４６Ａ乃至１４６Ｆを含む。ギヤ１４７は、ギヤ１４６Ｆと同軸で一体回転する。ギヤ１４８は、ギヤ１４７と噛合し、再搬送ローラ６８の軸と同軸で一体回転する。
【００９９】
図６（Ａ）に示されるように、搬送モータ１０２の正転が太陽ギヤ１４１へ伝達されることによって、遊星ギヤ１４２がギヤ１４６Ａから離間し、遊星ギヤ１４３がギヤ１４６Ｂと噛合する。すなわち、搬送モータ１０２の正転は、ギヤ１４６Ｂ〜１４６Ｆを通じて搬送ローラ６０から再搬送ローラ６８に伝達される。一方、図６（Ｂ）に示されるように、搬送モータ１０２の逆転が太陽ギヤ１４１へ伝達されることによって、遊星ギヤ１４２がギヤ１４６Ａと噛合し、遊星ギヤ１４３がギヤ１４６Ｂから離間する。すなわち、搬送モータ１０２の逆転は、ギヤ１４６Ａ〜１４６Ｆを通じて搬送ローラ６０から再搬送ローラ６８に伝達される。その結果、再搬送ローラ６８は、搬送モータ１０２の正転及び逆転のいずれが伝達された場合であっても正転する。再搬送ローラ６８は、正転することによって、従動ローラ６９との間に挟持した用紙１２を第２搬送方向１６Ｂへ搬送する。
【０１００】
［伝達遅延部１６０］
図５及び図６に示されるように、第１伝達部７４は、伝達遅延部１６０を備えている。本実施形態において、伝達遅延部１６０は、ギヤ７６（第２回転体の一例）とプーリ７７（第１回転体の一例）とを備えている。
【０１０１】
以下、図１０（Ａ）、（Ｂ）を参照しつつ、伝達遅延部１６０の構成について説明する。なお、図１０において、ギヤ７６の歯は、省略されている。
【０１０２】
ギヤ７６は、右方向８及び左方向９に延びた支軸（不図示）に回転可能に支持されている。プーリ７７も、ギヤ７６と同様に、当該支軸に回転可能に支持されている。つまり、プーリ７７は、ギヤ７６と同軸で回転する。
【０１０３】
ギヤ７６の右面１９３には、右方向８へ突出する凸部１９４（当接部の一例）が設けられている。換言すると、ギヤ７６におけるプーリ７７と対向する面（右面１９３）には、プーリ７７へ向けて突出する凸部１９４が設けられている。凸部１９４の周方向１９０の一端面１９４Ａは、プーリ７７の凹部１９８の側面１９８Ａと当接可能である。凸部１９４の周方向１９０の他端面１９４Ｂは、プーリ７７の凹部１９８の側面１９８Ｂと当接可能である。つまり、凸部１９４の周方向１９０の長さは、凸部１９４における側面１９８Ａとの当接箇所である一端面１９４Ａ及び側面１９８Ｂとの当接箇所である他端面１９４Ｂの周方向１９０の距離である。
【０１０４】
プーリ７７の左面１９７（プーリ７７におけるギヤ７６と対向する面）には、凹部１９８が設けられている。凹部１９８は、周方向１９０に沿って延びている。凹部１９８の周方向１９０の一端は、側面１９８Ａ（第１面の一例）によって区画されている。凹部１９８の周方向１９０の他端は、側面１９８Ｂ（第２面の一例）によって区画されている。側面１９８Ａ、１９８Ｂ間の周方向１９０の距離は、凸部１９４の周方向１９０の長さよりも長い。
【０１０５】
ギヤ７６及びプーリ７７は、ギヤ７６の右面１９３とプーリ７７の左面１９７とが対向した状態で配置される。このとき、凸部１９４が凹部１９８に挿入されている。つまり、凸部１９４が、周方向１９０において凹部１９８の側面１９８Ａ、１９８Ｂの間に位置する。
【０１０６】
ギヤ７６及びプーリ７７は、上記のように構成されていることによって、以下のように回転する。
【０１０７】
ギヤ７６は、搬送モータ１０２の正転が伝達されることによって凸部１９４が側面１９８Ａに近づく方向に正転し、搬送モータ１０２の逆転が伝達されることによって凸部１９４が側面１９８Ｂに近づく方向に逆転する。プーリ７７は、正転するギヤ７６の凸部１９４によって側面１９８Ａが押されることによってギヤ７６と一体に正転する。また、プーリ７７は、逆転するギヤ７６の凸部１９４によって側面１９８Ｂが押されることによってギヤ７６と一体に逆転する。
【０１０８】
搬送モータ１０２から搬送ローラ６０へ伝達される回転が正転のとき、凸部１９４は側面１９８Ａに当接している。この状態において、搬送モータ１０２から搬送ローラ６０へ伝達される回転が正転から逆転に変わると、搬送モータ１０２の逆転を伝達されたギヤ７６は、凸部１９４が側面１９８Ａから離間して側面１９８Ｂに近づく方向に逆転する。このとき、ギヤ７６は、プーリ７７に対して空転する。つまり、プーリ７７は回転しない。これにより、ギヤ７６がプーリ７７に対して空転している間、搬送モータ１０２の逆転は排出ローラ６２へ伝達されない。ギヤ７６の逆転によって、凸部１９４が側面１９８Ｂに当接して側面１９８Ｂを押すと、プーリ７７は、ギヤ７６と一体に逆転する。これにより、搬送モータ１０２の逆転は、排出ローラ６２へ伝達される。
【０１０９】
一方、搬送モータ１０２から搬送ローラ６０へ伝達される回転が逆転のとき、凸部１９４は側面１９８Ｂに当接している。この状態において、搬送モータ１０２から搬送ローラ６０へ伝達される回転が逆転から正転に変わると、搬送モータ１０２の正転を伝達されたギヤ７６は、凸部１９４が側面１９８Ｂから離間して側面１９８Ａに近づく方向に正転する。このとき、ギヤ７６は、プーリ７７に対して空転する。つまり、プーリ７７は回転しない。これにより、ギヤ７６がプーリ７７に対して空転している間、搬送モータ１０２の正転は排出ローラ６２へ伝達されない。ギヤ７６の正転によって、凸部１９４が側面１９８Ａに当接して側面１９８Ａを押すと、プーリ７７は、ギヤ７６と一体に正転する。これにより、搬送モータ１０２の正転は、排出ローラ６２へ伝達される。
【０１１０】
以上のように、伝達遅延部１６０は、搬送モータ１０２から搬送ローラ６０へ伝達された回転が正転から逆転に変わったとき、及び、逆転から正転に変わったときに、搬送モータ１０２の一定量の回転の間、搬送ローラ６０から排出ローラ６２へ搬送モータ１０２の回転を伝達しない。ここで、一定量の回転とは、凸部１９４が側面１９８Ａ、１９８Ｂの一方から離間して側面１９８Ａ、１９８Ｂの他方と当接するまでの間に、搬送モータ１０２が回転する量である。
【０１１１】
なお、本実施形態では、ギヤ７６が１つの凸部を備え、プーリ７７が１つの凹部を備えていたが、当該凸部及び当該凹部の数は複数であってもよい。
【０１１２】
また、本実施形態では、ギヤ７６が凸部を備え、プーリ７７が当該凸部が挿入される凹部を備えていたが、プーリ７７が凸部を備え、ギヤ７６が当該凸部が挿入される凹部を備えていてもよい。
【０１１３】
また、本実施形態では、ギヤ７６が凸部を備え、プーリ７７が当該凸部が挿入される凹部を備えていたが、ギヤ７６またはプーリ７７の一方に設けられた凸部が、ギヤ７６またはプーリ７７の他方に周方向１９０に間隔を空けて設けられた２つの面の間に挿入される構成であれば、本実施形態の構成に限らない。
【０１１４】
例えば、ギヤ７６及びプーリ７７が、それぞれ周方向１９０に間隔を空けて設けられた２つの凸部を備えており、ギヤ７６またはプーリ７７の一方の凸部が他方の２つの凸部の向かい合う側面の間に挿入されていてもよい。この場合、上記向かい合う側面が第１面及び第２面の一例である。
【０１１５】
また、本実施形態では、伝達遅延部１６０は、ギヤ７６とプーリ７７とで構成されていたが、ギヤ７６とプーリ７７以外のギヤやプーリで構成されていてもよい。例えば、伝達遅延部１６０は、プーリ７８とプーリ７９とで構成されていてもよい。この場合、プーリ７８がギヤ７６またはプーリ７７の一方と同構成であり、プーリ７９がギヤ７６またはプーリ７７の他方と同構成である。
【０１１６】
また、伝達遅延部１６０は、搬送モータ１０２から搬送ローラ６０へ伝達された回転の方向が切り替わったときに、搬送モータ１０２の一定量の回転の間、搬送ローラ６０から排出ローラ６２へ搬送モータ１０２の回転を伝達しない構成であれば、上述したような隣接する２つの回転体を備えた構成に限らない。
【０１１７】
例えば、伝達遅延部１６０は、第２伝達部１４９が備える遊星ギヤ機構（太陽ギヤ１５１、遊星ギヤ１５２、及びアーム１５３）と同様の構成であってもよい。この場合、ギヤ７５とギヤ７６とは噛合しておらず、遊星ギヤ機構がギヤ７５とギヤ７６との間に配置される。遊星ギヤ機構の太陽ギヤはギヤ７５と噛合し、遊星ギヤ機構の遊星ギヤはギヤ７６と接離する。なお、遊星ギヤ機構の配置位置は、搬送モータ１０２から搬送ローラ６０へ正転が伝達されるときに、遊星ギヤがギヤ７６と噛合し、搬送モータ１０２から搬送ローラ６０へ逆転が伝達されるときに、遊星ギヤがギヤ７６から離間するような位置である。これにより、伝達遅延部１６０としての遊星ギヤ機構は、搬送モータ１０２から搬送ローラ６０へ伝達された回転が逆転から正転に変わったときに、搬送モータ１０２の一定量の回転の間、搬送ローラ６０から排出ローラ６２へ搬送モータ１０２の回転を伝達しない。ここで、一定量の回転とは、ギヤ７６から離間していた遊星ギヤが太陽ギヤの周りを公転することによってギヤ７６と噛合するまでの間に、搬送モータ１０２が回転する量である。
【０１１８】
［制御部１３０］
図８に示されるように、制御部１３０は、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【０１１９】
ＡＳＩＣ１３５には、搬送モータ１０２及びキャリッジモータ１０３が接続されている。ＡＳＩＣ１３５は、各モータを回転させるための駆動信号を生成し、この駆動信号を元に各モータを制御する。各モータは、ＡＳＩＣ１３５からの駆動信号によって正転又は逆転する。例えば、制御部１３０は、搬送モータ１０２の駆動を制御して各ローラを駆動させる。また、制御部１３０は、キャリッジモータ１０３の駆動を制御してキャリッジ２３を往復移動させる。また、制御部１３０は、記録ヘッド３９を制御してノズル４０からインクを吐出させる。
【０１２０】
また、ＡＳＩＣ１３５には、第１センサ１２０と、ロータリエンコーダ１２１と、第２センサ１２２とが接続されている。制御部１３０は、第１センサ１２０及び第２センサ１２２から出力される検知信号に基づいて、各センサの配置位置に用紙１２が存在することを検知する。また、制御部１３０は、第１センサ１２０から出力される検知信号と、ロータリエンコーダ１２１から出力されるパルス信号とに基づいて、用紙１２の位置を検知する。
【０１２１】
［画像記録処理］
図９を参照して、本実施形態における画像記録処理を説明する。この画像記録処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。
【０１２２】
制御部１３０は、ユーザからシートの両面に画像を記録する記録指示を取得したことに応じて、画像記録処理を実行する。記録指示の取得先は特に限定されないが、例えば、複合機１０に設けられた操作部１７（図１参照）を通じて取得してもよいし、外部機器から通信ネットワークを通じて取得してもよい。制御部１３０は、取得した記録指示に従って各ローラ、キャリッジ２３、及び記録ヘッド３９の動作を制御することによって、用紙１２に画像を記録する。
【０１２３】
まず、制御部１３０は、切替機構１７０を第１状態に切り替える（Ｓ１１）。具体的には、制御部１３０は、キャリッジ２３を右方向８及び左方向９に沿って移動させることによって、切替レバー１７６を第１ストッパ１８０に当接させる。これにより、切替ギヤ１７１を移動させて、切替ギヤ１７１と受けギヤ１７２Ａとを噛合させる。但し、切替機構１７０が既に第１状態である場合、制御部１３０は、ステップＳ１１を実行することなく、ステップＳ１２以降の処理を実行する。
【０１２４】
次に、制御部１３０は、用紙１２に対する表面給紙処理を実行する（Ｓ１２）。表面給紙処理は、給送トレイ２０に支持された用紙１２の先端（第１搬送方向１６Ａの下流端）を搬送部５４に到達させる処理である。具体的には、制御部１３０は、搬送モータ１０２を逆転させることによって、給送ローラ２５を回転させる。
【０１２５】
次に、制御部１３０は、用紙１２に対する表面記録処理を実行する（Ｓ１３）。表面記録処理は、用紙１２の表面に画像を記録する処理である。詳細には、制御部１３０は、ステップＳ１３において、搬送処理と吐出処理とを交互に繰り返し実行する。搬送処理は、搬送部５４に到達された用紙１２を第１搬送方向１６Ａの所定の改行幅だけ搬送部５４、排出部５５、及び反転部５６の少なくとも１つに搬送させる処理である。吐出処理は、所定の改行幅だけ搬送された用紙１２に対して記録ヘッド３９にインクを吐出させる処理である。
【０１２６】
具体的には、制御部１３０は、搬送処理において、搬送モータ１０２を正転させることによって、各ローラ６０、６２、４５を正転させる。なお、搬送モータ１０２の正転は、第１伝達部７４を介して搬送ローラ６０から排出ローラ６２及び反転ローラ４５へ伝達される。また、制御部１３０は、吐出処理において、キャリッジモータ１０３を駆動させることによってキャリッジ２３を右方向８及び左方向９に沿って移動させ、且つ所定のタイミングで記録ヘッド３９にインクを吐出させる。
【０１２７】
次に、制御部１３０は、用紙１２に対する表面排紙処理を実行する（Ｓ１４）。表面排紙処理は、搬送部５４、排出部５５、または反転部５６の少なくとも１つに、表面に画像が記録された用紙１２の後端（第１搬送方向１６Ａの上流端）が分岐位置６６Ａに到達する位置まで当該用紙１２を第１搬送方向１６Ａに搬送させる処理である。具体的には、制御部１３０は、搬送モータ１０２を正転させることによって、各ローラ６０、６２、４５を正転させる。なお、このとき、フラップ４９は、第１搬送方向１６Ａに搬送される用紙１２に持ち上げられることによって反転位置から排出位置へ回動した後、用紙１２の後端が分岐位置６６Ａに到達すると自重によって排出位置から反転位置へ回動する。これにより、用紙１２の後端が第２搬送路６６を向いた状態となる。
【０１２８】
次に、制御部１３０は、切替機構１７０を第１状態から第２状態に切り替える（Ｓ１５）。具体的には、制御部１３０は、キャリッジ２３を右方向８へ移動させることによって、切替レバー１７６を第２ストッパ１８１に当接させる。これにより、切替ギヤ１７１を移動させて、切替ギヤ１７１と受けギヤ１７２Ｂとを噛合させる。
【０１２９】
次に、制御部１３０は、裏面給紙処理を実行する（Ｓ１６）。裏面給紙処理は、表面に画像が記録された用紙１２の表裏を反転させて、再び搬送部５４に到達させる処理である。具体的には、制御部１３０は、搬送モータ１０２を逆転させることによって、反転ローラ４５を逆転させ且つ再搬送ローラ６８を正転させる。これにより、用紙１２は、第１搬送方向１６Ａの上流端を先端として分岐位置６６Ａから第２搬送路６６に進入し、合流位置６６Ｂを通じて搬送部５４に到達する。なお、搬送モータ１０２の逆転は、第２伝達部１４９を介して搬送ローラ６０から排出ローラ６２及び反転ローラ４５へ伝達され、第４伝達部１４０を介して搬送ローラ６０から再搬送ローラ６８へ伝達される。
【０１３０】
次に、制御部１３０は、用紙１２に対する裏面記録処理を実行する（Ｓ１７）。裏面記録処理は、用紙１２の裏面に画像を記録する処理である。裏面記録処理は、表面記録処理と同様に、搬送処理と吐出処理とを交互に繰り返す処理である。
【０１３１】
制御部１３０は、裏面記録処理の搬送処理において、搬送モータ１０２を正転させる。これにより、搬送モータ１０２の正転は、第１伝達部７４を介して搬送ローラ６０から排出ローラ６２及び反転ローラ４５へ伝達され、各ローラ６０、６２、４５を正転させる。つまり、制御部１３０は、裏面給紙処理において逆転されていた搬送モータ１０２の回転を、搬送処理において正転に切り替える。この搬送モータ１０２の回転の切り替えは、用紙１２が合流位置６６Ｂを通じて搬送部５４に到達するよりも前に行われる。これにより、用紙１２が搬送部５４に到達したときに、搬送部５４は用紙１２を第１搬送方向１６Ａに搬送することができる。また、搬送モータ１０２が逆転から正転に切り替わっても、再搬送ローラ６８は正転し続けるため、用紙１２の第２搬送路６６に沿った搬送は正常に行われる。
【０１３２】
上述した搬送モータ１０２の逆転から正転への切り替え時に、第２伝達部１４９に搬送モータ１０２の正転が伝達されることによって、遊星ギヤ１５２がギヤ１５４から離間する。また、搬送モータ１０２が逆転から正転へ切り替えられることによって、搬送モータ１０２の正転が、第１伝達部７４を介して搬送ローラ６０から排出ローラ６２へ伝達される。このとき、搬送ローラ６０から排出ローラ６２への第１伝達部７４を介した搬送モータ１０２の正転の伝達が可能となるタイミングが、伝達遅延部１６０によって遅延される。これにより、当該タイミングを、遊星ギヤ１５２がギヤ１５４から離間した後とすることができる。
【０１３３】
次に、制御部１３０は、裏面排紙処理を実行する（Ｓ１８）。裏面排紙処理は、用紙１２が反転部５６を通過するまで（すなわち、用紙１２が排出トレイ２１に排出されるまで）、排出部５５及び反転部５６に用紙１２を第１搬送方向１６Ａに搬送させる処理である。具体的には、制御部１３０は、搬送モータ１０２を正転させることによって、各ローラ６０、６２、４５を正転させる。
【０１３４】
［本実施形態の効果］
上記の実施形態によれば、搬送モータ１０２から搬送ローラ６０へ伝達される搬送モータ１０２の回転が逆転から正転に変わったときに、搬送ローラ６０から排出ローラ６２への第１伝達部７４を介した搬送モータ１０２の正転の伝達が可能となるタイミングが、伝達遅延部１６０によって遅延される。これにより、第１伝達部７４及び排出ローラ６２を介したギヤ１５４への搬送モータ１０２の正転の伝達が可能となるタイミングが、遊星ギヤ１５２がギヤ１５４から離間するタイミングよりも遅くすることができる。つまり、ギヤ１５４が、遊星ギヤ１５２と噛合した状態で、搬送モータ１０２の正転によって回転することを防止できる。これにより、遊星ギヤ１５２を、ギヤ１５４から離間させることができる。その結果、搬送モータ１０２がロック状態となり回転できなくなることを防止できる。
【０１３５】
また、上記の実施形態によれば、伝達遅延部１６０がプーリ７７及びギヤ７６によって構成されているため、伝達遅延部１６０を簡易な構成で実現することができる。
【０１３６】
また、上記の実施形態によれば、ワンウェイクラッチ８３を備えることによって、第１伝達部７４を簡易な構成で実現することができる。
【０１３７】
また、上記の実施形態によれば、切替機構１７０を第１状態とすることによって、搬送ローラ６０を回転させつつ排出ローラ６２を停止させることができる。例えば、搬送ローラ６０を、用紙１２を第１搬送方向１６Ａと逆方向に搬送させる方向に回転させつつ、排出ローラ６２を停止させることができる。これにより、搬送ローラ６０へ向けて搬送される用紙１２が、用紙１２を第１搬送方向１６Ａと逆方向に搬送させる方向に回転する搬送ローラ６０に当接することによって、当該用紙１２の斜行を矯正することができる。また、このとき、当該用紙１２に先行する用紙１２が排出ローラ６２に当接している状態であっても、排出ローラ６２が停止しているため、当該先行する用紙１２が排出ローラ６２によって搬送されることはない。
【０１３８】
また、上記の実施形態によれば、切替機構１７０を第１状態とし、且つ搬送ローラ６０へ搬送モータ１０２の逆転を伝達することによって、給送トレイ２０に支持された用紙１２を給送ローラ２５によって搬送ローラ６０へ向けて給送することができる。
【０１３９】
また、上記の実施形態によれば、切替機構１７０を第２状態として、搬送ローラ６０から再搬送ローラ６８へ第４伝達部１４０を介して搬送モータ１０２の回転を伝達することによって、第２搬送路６６へ案内される用紙１２を再搬送ローラ６８によって第２搬送路６６に沿って搬送することができる。また、切替機構１７０の状態に応じて、給送ローラ２５による用紙１２の給送と、再搬送ローラ６８による用紙１２の第２搬送路６６に沿った搬送とを別々に実行することができる。
【０１４０】
また、上記の実施形態によれば、第１伝達部７４及び第２伝達部１４９の駆動伝達経路うち、排出ローラ６２から反転ローラ４５への部分を共通化することができる。これにより、第１伝達部７４及び第２伝達部１４９が占めるスペースを小さくすることができる。
【０１４１】
また、第２伝達部１４９において搬送ローラ６０の回転速度が減速されて排出ローラ６２に伝達されるため、搬送ローラ６０から排出ローラ６２への第１伝達部７４を介した搬送モータ１０２の回転の伝達が可能となるタイミングが、遊星ギヤ１５２がギヤ１５４から離間するタイミングよりも早くなる可能性がある。これに対して、上記の実施形態によれば、第１伝達部７４が伝達遅延部１６０を備えることにより、搬送ローラ６０から排出ローラ６２への第１伝達部７４を介した搬送モータ１０２の回転の伝達が可能となるタイミングを、遊星ギヤ１５２がギヤ１５４から離間するタイミングよりも遅くすることができる。
【０１４２】
また、上記の実施形態によれば、第１伝達部７４は第１搬送路６５よりも左方に設けられており、第２伝達部１４９は第１搬送路６５よりも右方に設けられている。これにより、第１伝達部７４と第２伝達部１４９とが干渉しないため、各伝達部７４、１４９の構成を簡略化できる。
【０１４３】
［変形例］
上記の実施形態では、第１伝達部７４を介して搬送モータ１０２の正転を伝達された各ローラ６０、６２、４５は正転し、第２伝達部１４９を介して搬送モータ１０２の逆転を伝達された各ローラ６０、６２、４５は逆転したが、各ローラ６０、６２、４５の回転方向は上記の実施形態の方向に限らない。例えば、各ローラ６０、６２、４５は、第１伝達部７４を介して搬送モータ１０２の正転を伝達されたとき、及び第２伝達部１４９を介して搬送モータ１０２の逆転を伝達されたときのいずれの場合であっても、同方向に回転してもよい。
【０１４４】
また、上記の実施形態では、本発明の駆動部は、搬送ローラ６０であったが、搬送ローラ６０に限らない。例えば、本発明の駆動部は、ノズル４０内のインクを吸引する際に駆動されるポンプ（不図示）であってもよい。ポンプは、ノズル４０内のインクの吸引時に、ノズルに接続されるチューブ（不図示）に配置される。チューブの一端はノズル４０に接続されており、チューブの他端は廃インクタンク（不図示）に接続されている。ポンプが駆動されると、チューブが扱かれる。これにより、ノズル４０内のインクがチューブに吸引されて、廃インクタンクへ流通される。なお、本発明の駆動部がポンプの場合、ポンプに設けられたギヤなどによって、ポンプから排出ローラ６２へ搬送モータ１０２の回転が伝達される。
【０１４５】
また、搬送モータ１０２から各ローラ２５、６０、６２、４５、６８へ伝達される正転及び逆転は、上記の実施形態とは逆であってもよい。例えば、上記の実施形態では、第１伝達部７４を介して搬送モータ１０２の正転を伝達された各ローラ６０、６２、４５は正転し、第２伝達部１４９を介して搬送モータ１０２の逆転を伝達された各ローラ６０、６２、４５は逆転した。しかし、上記の実施形態とは逆に、第１伝達部７４を介して搬送モータ１０２の逆転を伝達された各ローラ６０、６２、４５が正転し、第２伝達部１４９を介して搬送モータ１０２の正転を伝達された各ローラ６０、６２、４５が逆転してもよい。
【０１４６】
また、第２搬送路６６は、記録部２４によって画像が記録された用紙１２を、表裏を反転させて再び記録部２４に到達させることが可能であることを条件として、図２に示されたものとは異なる構成であってもよい。例えば、分岐位置６６Ａが、記録部２４よりも第１搬送方向１６Ａの上流に位置しており、合流位置６６Ｂが、分岐位置６６Ａよりも第１搬送方向１６Ａの上流に位置していてもよい。
【０１４７】
また、上記の実施形態における画像記録処理では、用紙１２の両面に画像記録を行う際の裏面記録処理における搬送処理のときに、第１伝達部７４を介した搬送モータ１０２の正転の伝達が伝達遅延部１６０によって遅延された。しかし、第１伝達部７４を介した搬送モータ１０２の正転の伝達が伝達遅延部１６０によって遅延されるのは、裏面記録処理における搬送処理のときに限らず、搬送モータ１０２が正転から逆転、または、逆転から正転に切り替えられるときであれば、如何なるときであってもよい。
【０１４８】
例えば、複合機１０が、ＣＤやＤＶＤなどの板状の被記録媒体の盤面上に画像を記録する機能を有している場合に、第１伝達部７４を介した搬送モータ１０２の正転の伝達が伝達遅延部１６０によって遅延されてもよい。当該場合において、被記録媒体は、開口１３から第１搬送方向１６Ａと逆方向に挿入された後、第１搬送方向１６Ａに搬送されつつ画像記録され、その後、開口１３を通じて排出される。そして、搬送モータ１０２は、被記録媒体が第１搬送方向１６Ａと逆方向に挿入される際には逆転され、被記録媒体が第１搬送方向１６Ａに搬送される際には正転される。つまり、被記録媒体の搬送方向が切り替えられるとき、搬送モータ１０２は逆転から正転に切り替えられる。そして、このとき、当該切り替えのタイミングが伝達遅延部１６０によって遅延される。
【符号の説明】
【０１４９】
１０・・・複合機
２４・・・記録部
６０・・・搬送ローラ（駆動部、第２ローラ）
６２・・・排出ローラ（第１ローラ）
６５・・・第１搬送路
７４・・・第１伝達部（第１駆動伝達機構）
１０２・・・搬送モータ（モータ）
１０５・・・第１回転方向
１０６・・・第２回転方向
１４９・・・第２伝達部（第２駆動伝達機構）
１５１・・・太陽ギヤ
１５２・・・遊星ギヤ
１５３・・・アーム
１５４・・・ギヤ（伝達ギヤ）
１６０・・・伝達遅延部
【図１】
0006676912.tif 000002
【図２】
0006676912.tif 000003
【図３】
0006676912.tif 000004
【図４】
0006676912.tif 000005
【図５】
0006676912.tif 000006
【図６】
0006676912.tif 000007
【図７】
0006676912.tif 000008
【図８】
0006676912.tif 000009
【図９】
0006676912.tif 000010
【図１０】
0006676912.tif 000011